(57)【特許請求の範囲】
【請求項１】
籾摺部（１），揺動選別装置（３），混合米揚穀機（４）及び玄米揚穀機（５）を具備する籾摺選別機であって、籾供給調節弁操作溝部（３２ａ）及び揺動選別装置操作溝部（３２ｂ）からなる連続した操作溝（３２）内を移動操作して初めに籾摺部（１）の籾供給調節弁（３８）を操作し、次いで、揺動選別装置（３）の操作部を操作する単一の操作レバー（３１）と、常時はばね（５１）で開き方向に付勢される籾供給調節弁（３８）と、該操作レバー（３１）と該籾供給調節弁（３８）との間を連動連結する籾供給調節弁作動手段と、この籾供給調節弁作動手段を構成し融通機構を備えた籾供給調節連動体（４３）と、所定回動位置に係止され供給量調節体５３を備える供給量調節アーム（５２）と、前記供給量調節体（５３）を籾供給調節連動体（４３）に当接することで上記操作レバー（３１）を全閉鎖位置から全開位置への操作にもかかわらず前記籾供給調節弁（３８）の開度を全開状態から供給量を減少した所定開度に規制することのできる籾供給調節弁開度規制手段と、からなる籾摺選別機。
【発明の詳細な説明】
【０００１】
【発明の属する技術分野】
この発明は、籾摺選別機の改良に関するものである。
【０００２】
【従来の技術】
出願人は、特願平８−２５２８２１号で、籾摺部１，揺動選別装置３，混合米揚穀機４及び玄米揚穀機５を具備する籾摺選別機において、単一の操作レバ−を連続した操作溝内を移動操作することにより、初めに籾摺部１の籾供給調節弁３８の調節をし、次いで、揺動選別装置３の揺動クラッチの入切及び選別穀粒の機内循環，機外取出の切替操作をする発明について、特許出願をした。
【０００３】
【発明が解決しようとする課題】
前記特許出願発明では、籾摺作業開始時には、まず、操作レバ−３１を籾供給調節弁操作溝部３２ａ内を操作して、籾供給調節弁３８を閉位置から開位置に操作し、次いで、揺動選別装置操作溝部３２ｂを移動操作して揺動選別装置３の揺動クラッチの切り替え及び穀粒の機内循環・機外取出の切り替えをする構成である。
【０００４】
しかして、単一の操作レバ−３１の操作で、初めに籾摺部１の籾供給調節弁３８を開口し、次いで、揺動選別装置３の操作部を操作しするので、操作の簡単化を図ることはできるが、籾供給調節弁３８を一定の開位置にしか操作できず、籾供給量が一定となり、オペレ−タの好みに合わせて供給量を調節できないという新たな問題点が発生した。
【０００５】
この発明は、このような問題点を解決して、単一の操作レバ−で操作の簡単化を図りながら、籾供給調節弁の開位置を任意に調節できる装置を具現しようとするものである。
【０００６】
【課題を解決するための手段】
この発明は、このような問題点を解決するために、次の技術的手段を講じた。即ち、この発明は、籾摺部（１），揺動選別装置（３），混合米揚穀機（４）及び玄米揚穀機（５）を具備する籾摺選別機であって、籾供給調節弁操作溝部（３２ａ）及び揺動選別装置操作溝部（３２ｂ）からなる連続した操作溝（３２）内を移動操作して初めに籾摺部（１）の籾供給調節弁（３８）を操作し、次いで、揺動選別装置（３）の操作部を操作する単一の操作レバー（３１）と、常時はばね（５１）で開き方向に付勢される籾供給調節弁（３８）と、該操作レバー（３１）と該籾供給調節弁（３８）との間を連動連結する籾供給調節弁作動手段と、この籾供給調節弁作動手段を構成し融通機構を備えた籾供給調節連動体（４３）と、所定回動位置に係止され供給量調節体５３を備える供給量調節アーム（５２）と、前記供給量調節体（５３）を籾供給調節連動体（４３）に当接することで上記操作レバー（３１）を全閉鎖位置から全開位置への操作にもかかわらず前記籾供給調節弁（３８）の開度を全開状態から供給量を減少した所定開度に規制することのできる籾供給調節弁開度規制手段と、からなる籾摺選別機の構成とした。
【０００７】
【作用】
初めに、単一の操作レバー（３１）を操作溝（３２）の籾供給調節弁操作溝部（３２ａ）内を、全閉鎖位置から全開位置に移動操作して、籾摺部（１）の籾供給調節弁（３８）を開調節し、次いで、揺動選別装置操作溝部（３２ｂ）を移動操作して、揺動選別装置（３）の揺動クラッチの入切及び選別穀粒の機内循環及び選別穀粒の機内循環及び機外取出をし、簡単な操作で籾摺選別作業を行うことができる。
【０００８】
また、操作レバー（３１）を籾供給調節弁操作溝部（３２ａ）の全閉位置から全開位置に移動すると、例えば次のように構成されている籾供給調節弁開度規制手段が供給量調節アーム（５２）の作動に基づき作動して、籾供給調節弁（３８）を所定量減少させて開調節することができる。即ち、籾供給調節連動体（４３）の長孔で構成されている融通機構による閉位置での規制が解除されて、籾供給調節連動体（４３）、籾供給調節弁（３８）はばね（５１）のばね力により開方向に移動し、籾供給調節連動体（４３）が供給量調節体（５３）に当接した所で停止し、籾供給調節弁弁（３８）は所定量減少側にした状態で開度を保持して籾を供給する。また、供給量調節体（５３）を供給量調節アーム（５２）の操作によって任意位置に移動し規制位置を調節することにより、籾供給調節弁（３８）の開度を好み減少量に合わせた開度に調節できる。
【０００９】
【発明の効果】
この発明は、上述のように、単一の操作レバー（３１）を操作溝（３２）の籾供給調節弁操作溝部（３２ａ）及び揺動選別装置操作溝部（３２ｂ）を移動操作することにより、籾摺部（１）の籾供給調節、並びに、揺動選別装置（３）の操作を簡単に行うものでありながら、籾供給調節弁（３８）の供給量も調節でき、前記課題を解決できるものである。
また、所定回動位置に係止され供給量調節体（５３）を備える供給量調節アーム（５２）の操作によって該供給量調節体（５３）を任意位置に移動し規制位置を調節することにより、籾供給調節弁（３８）の開度を好み減少量に合わせた開度に調節できる。
【００１０】
【発明の実施の形態】
以下、図面に示すこの発明の実施例について説明する。まず、図１〜図４に基づき、籾摺選別機の全体構成について説明する。籾摺選別機は、籾摺をする籾摺部１，籾摺部１からの摺落米を風選する摺落米風選部２，摺落米風選部２での風選後の混合米を籾・玄米に分離選別する揺動選別装置３，混合米揚穀機４及び玄米揚穀機５等により構成されている。
【００１１】
籾摺部１は、上部の籾ホッパ６，籾摺ロ−ル７，７の内装されている籾摺室８等で構成されている。摺落米風選部２は、摺落米風選箱９，摺落米風選路１０，粃受樋１１，摺落米受樋１２，吸引フアン１３，排塵筒１４等により構成されている。次に、揺動選別装置３について説明する。
【００１２】
多段の揺動選別板１５，１５，…には、板面に選別用の凹凸あるいは選別凸条が形成されていて、縦方向の一側を高い供給側、他側を低い排出側とし、縦方向に直交する横方向の一方側を高い揺上側、反対側を低い揺下側として、揺動選別板１５の縦横２方向ともに傾斜した構成とし、揺動選別板１５，１５，…は揺動アーム，揺動リンクから構成されている揺動装置で、横方向斜め上下に往復揺動される構成である。
【００１３】
この揺動選別板１５，１５，…における供給側には供給口が構成されていて、分配供給樋１６及び分配ケース１７を経由して、混合米が供給口から供給される構成である。揺動選別板１５，１５，…に供給された混合米は、粒形の大小，比重の大小，摩擦係数の大小等の関係で、比重の重い小形の玄米は揺上側に偏流分布し、また、玄米に比較して大きく比重の軽い籾は、揺下側に偏流分布し、また、その中間部には分離されない籾・玄米の混合米が分布しながら選別される。しかして、これらの選別穀粒は、揺動選別板１５の排出側に設けられている玄米仕切板１８及び籾仕切板１９で仕切られて取り出される。
【００１４】
取り出された玄米は、玄米取出樋２０，玄米流路２１，玄米揚穀機５を経て機外に取り出され、また、混合米は混合米取出樋２２，混合米流路２３，摺落米受樋１２，混合米揚穀機４，混合米ホッパ２４，分配供給樋１６，分配ケース１７を経て、揺動選別板１５，１５，…に供給されて再選別される。また、取り出された籾は、籾取出樋２５，籾流路２６，籾揚穀機２７を経て籾摺部１に揚穀還元されて、再度の籾摺がなされる構成である。
【００１５】
次に、籾摺選別機の作用について説明する。籾摺作業をする場合には、籾摺部１の籾ホッパ６に籾を供給し、籾摺選別機の回転各部を駆動する。次いで、籾ホッパ６から籾摺ロール７，７に籾を供給して籾摺し、摺落米を下方の摺落米風選路１０で風選する。軽い籾殻を吸引フアン１３，排塵筒１４を経て機外に排出し、比較的軽い粃粒は粃受樋１１に落下選別され、重い玄米及び籾の混合米は、摺落米受樋１２に落下選別される。
【００１６】
しかして、選別された混合米は、混合米揚穀機４，混合米ホッパ２４，分配供給樋１６及び分配ケース１７を経て、揺動選別板１５，１５，…に供給される。混合米は、揺動選別板１５が横方向斜上下に往復揺動されると、粒形の大小、比重の大小、摩擦係数の大小等の関係で、小形で比重の重い玄米は揺上側に偏流分布し、また、玄米に比較して大形で比重の軽い籾は揺下側に偏流分布し、また、その中間部には分離されない混合米が分布しつつ選別される。
【００１７】
揺動選別板１５，１５，…の排出側から流下した穀粒は、玄米仕切板１８及び籾仕切板１９で仕切られる。玄米仕切板１８で仕切られた玄米は、玄米取出樋２０，玄米流路２１及び玄米揚穀機５を経て機外に取り出され、また、玄米仕切板１８及び籾仕切板１９で仕切られた混合米は、混合米取出樋２２，混合米流路２３，混合米揚穀機４，混合米ホッパ２４，分配供給樋１６及び分配ケ−ス１７を経て揺動選別板１５に供給されて再選別され、また、籾仕切板１９で仕切られた籾は、籾取出樋２５，籾流路２６及び籾揚穀機２７を経て籾摺部１に還元されて再度の籾摺がされる。
【００１８】
次に、図５に基づき、操作レバ−構成について説明する。籾ホッパ６の揺動選別装置３側に位置している平面部２８を幅広に構成して、この幅広の平面部２８には変形Ｕ字形の操作溝３２を構成し、この操作溝３２に沿って溝操作レバ−３１を移動できる構成である。籾ホッパ６の下部に一体的に取り付けた支持ブラケット３３には、図５の左右方向に沿った支持軸３４を取り付けている。この支持軸３４の中間部に軸心回りに回動できるように筒体３５を嵌合支持し、この筒体３４には操作レバ−３１の基部を支持軸３４と交叉する軸で軸支して、操作レバ−３１を筒体３４に対して左右方向に一定範囲揺動自在に軸支すると共に、支持軸３４の回りには操作レバ−３１と筒体３５とは一体的に回動する構成としている。
【００１９】
また、支持軸３４における筒体３５の左右両側部には、籾供給調節弁作動体３６及び揺動作動体３７を回動自在に支持し、籾供給調節弁作動体３６の上部には左側に回動した操作レバ−３１が係合するＵ字型の係合部３６ａを構成し、籾供給調節弁作動体３６の下部には、連動ロッド４３の基部を連係し、連動ロッド４３の先端を籾供給調節弁３８側に連係している。
【００２０】
また、揺動作動体３７の上部には、右側に回動した操作レバ−３１が係合するＵ字型の係合部３７ａを構成し、揺動作動体３７の下部のクラッチ連係溝３９には、揺動選別装置３の揺動クラッチを入切する揺動クラッチワイヤ４０の基部を係合し、また、穀粒切替連係溝４１には、揺動選別装置３の玄米取出樋２０の穀粒を機外取出状態及び機内循環状態とに切り替える切替ワイヤ４２の基部を係合している。
【００２１】
しかして、操作レバ−３１を図５の状態から左側に回動して、操作レバ−３１を籾供給調節弁作動体３６の係合部３６ａに係合すると、籾供給調節弁３８が操作可能状態となる。しかして、籾供給調節弁操作溝部３２ａの閉位置から開位置に操作すると、籾供給調節弁３８が閉から開に操作される構成である。また、操作レバ−３１を右側に回動して、操作レバ−３１を揺動作動体３７の係合部３７ａに係合し、揺動操作溝部３２ｂの揺動切位置から揺動入位置に移動させると、揺動クラッチワイヤ４０が引っ張られて、揺動クラッチが入り状態となる。
【００２２】
さらに、操作レバ−３１を揺動クラッチ入り位置から機外取出位置に操作すると、切替連係溝４１の端部で切替ワイヤ４２を引っ張り、穀粒切替弁を機内循環状態から機外取出状態に切り替えられ、玄米仕切板１８で仕切られた玄米が機外に取り出される構成である。このように、機体の中心部にある操作レバ−３１を変形Ｕ字型の操作溝３２に沿って操作することにより、籾供給調節弁３８，揺動クラッチの入切及び玄米の機内循環・機外取出の切り替えが順序正しく簡単に操作できる。
【００２３】
また、運転スイッチ（図示省略）をＯＮすると、機体の回転各部が駆動され、その後に揺動クラッチを入りにすると、揺動選別板１５が揺動される構成である。しかして、操作レバ−３１が、籾供給調節弁操作溝部３２ａの閉位置〜開位置及び揺動操作溝部３２ｂの揺動切位置にあるときには、籾摺部１，混合米揚穀機４及び玄米揚穀機５は駆動状態で、揺動選別装置３は非揺動状態であり、作業再開時には、揺動選別装置３から混合米揚穀機４及び玄米揚穀機５に穀粒が流下供給されず、作業再開時の揚穀機の穀粒詰まりを防止できる。
【００２４】
次に、図６に示す実施例について説明する。前記図５の実施例では、操作レバ−３１を籾供給調節弁３８の閉位置から開位置へ操作することにより、籾供給調節弁３８は所定の開度に操作される構成であるが、この実施例では、操作レバ−３１の全閉鎖位置から全開位置への同一の操作量で籾供給調節弁３８の開閉度合いをも調節できるようにするものである。
【００２５】
図６に示すように、支持軸３４における筒体３５の左右両側部には、籾供給調節弁作動体３６及び揺動作動体３７を回動自在に支持し、籾供給調節弁作動体３６の上部にはＵ字型の係合部３６ｂを構成し、左側に回動した操作レバ−３１が係合する構成している。籾供給調節弁作動体３６の下部には、籾供給調節連動体としての連動ロッド４３の基部を連係している。連動ロッド４３の基部側には長孔５４を構成して、籾供給調節弁作動体３６側のピン３６ｂと係合させた融通機構を構成し、操作レバ−３１を閉位置から開位置へ移動すると、籾供給調節弁作動体３６のピン３６ｂは前記長孔５４内を一端側から他端側にスライド移動し、連動ロッド４３はそのままの位置を保持する構成である。
【００２６】
機枠４４にはピン４５ａで回動体４５を軸支し、この回動体４５の一端に、前記連動ロッド４３の先端側を枢支連結し、回動体４５の他端にピン４６ａで三角形状の中間回動体４６の第１角部を軸支し、中間回動体４６の第２角部には弁連動ロッド４７の一端を枢支連結し、弁連動ロッド４７の回動側の他端には籾供給調節弁３８のア−ム部を連係している。
【００２７】
また、混合米ホッパ２４にはホッパ連動ロッド４８の上端を連結し、機枠４４に三角形状のホッパ回動体４９の第１角部をピン４９ａで軸支し、ホッパ回動体４９の第２角部にホッパ連動ロッド４８の下端を連結し、ホッパ回動体４９の第３角部に中間連係ロッド５０の一端を連係し、中間連係ロッド５０の他端を前記中間回転体４６の第３角部に連係している。
【００２８】
しかして、操作レバ−３１を閉位置から開位置の間を操作すると、籾供給調節弁作動体３６，ピン３６ｂ，長孔５４，連動ロッド４３，回動体４５，中間回動体４６，弁連動ロッド４７を介して、籾供給調節弁３８が開操作される。これらをもって前記操作レバー３１と前記籾供給調節弁３８との間を連動連結する籾供給調節弁作動手段を構成するものである。この操作レバー３１による開閉操作は、混合米ホッパ２４の上下動による籾供給調節弁３８の連係とは無関係になされる。
【００２９】
また、混合米ホッパ２４が穀粒量の増減により上下動すると、ホッパ連動ロッド４８，ホッパ回動体４９，中間連動ロッド５０，中間回動体４６，弁連動ロッド４７を介して、籾供給調節弁３８が関連的に減増調節される。なお、この関連調節は操作レバ−３１とは無関係に調節される構成である。また、籾供給調節弁３８のア−ム部には、図６に示すように、開方向に付勢するばね５１を取り付けている。機枠には供給量調節ア−ム５２を軸支して所定回動位置に係止できる構成として、供給量調節ア−ム５２の先端部の調節体５３を連動ロッド４３の屈曲部４３ａに当接係止させる構成としている。籾供給調節弁作動体３６のピン３６ｂを連動ロッド４３の長孔５４に連係して、操作レバ−３１を閉位置から開位置間を移動操作すると、一定の遊びをもって連動ロッド４３が作動する関係にある。
【００３０】
しかして、操作レバ−３１を閉位置から開位置に操作すると、籾供給調節弁作動体３６のピン３６ｂは、連動ロッド４３の長孔５４内を左端から右端にスライド移動する。次いで、ばね５１により籾供給調節弁３８は開方向に作動され、これに連れて連動ロッド４３も矢印の開方向へ引っ張られて移動し、屈曲部４３ａが供給量調節ア−ム５２の供給量調節体５３に当接したところて停止し、籾供給調節弁３８の弁開度が規制される。しかして、籾供給調節弁３８の開度を操作レバ−３１を全開位置に操作しても、供給量調節ア−ム５２を調節設定しておくことにより、好みの開度に規制できる。
【００３１】
なお、操作レバ−３１を閉位置から開位置に操作した際に、籾供給調節弁作動体３６のピン３６ｂが長孔５４内を一端側から他端側にスライド移動し、次いで、連動ロッド４３を所定距離開側に移動し、次いで、ばね５１で籾供給調節弁３８を開側に回動させ、弁連動ロッド４７，中間回動体４６，回動体４５を介して、連動ロッド４３を引っ張り、籾供給調節弁作動体３６のピン３６ｂを長孔５４の他端側から一端側に移動させて、籾供給調節弁３８を所定位置に開動作する構成としてもよい。）また、揺動作動体３７の下部のクラッチ連係溝３９には、揺動選別装置３の揺動クラッチ６５を入切する揺動クラッチワイヤ４０の基部を連係している。揺動クラッチ６５のテンションプ−リ６６を伝導ベルト６７に押圧すると、中間プ−リ６８から揺動プ−リ６９に動力が伝達されて、揺動選別板１５が揺動する構成である。なお、７０はクラッチ調節用のナットである。
【００３２】
また、揺動作動体３７の下部の穀粒切替連係溝４１には、切り替える切替ワイヤ４２の基部を連係している。揺動選別装置３の玄米取出樋２０には、玄米仕切板１８で仕切られた穀粒を機外取出状態及び機内循環状態とに穀粒切替弁７１を設け、切替ワイヤ４２の先端を穀粒切替弁７１の作動ア−ム７２に連結している。なお、７３は、切替ワイヤ４２の調節用ナットである。
【００３３】
次に、図７に示す操作レバ−３１の他の実施例について説明する。操作レバ−３１を機枠に軸支された軸５５に固着し、操作レバ−３１の下部には揺動作動体３７を取り付けている。操作レバ−３１を回動操作すると、揺動クラッチ切り・揺動選別穀粒の機内循環状態、揺動クラッチ入り・揺動選別穀粒の機内循環状態、及び、揺動クラッチ入り・揺動選別穀粒の機外取出状態に、夫れ夫れ操作できる構成である。
【００３４】
軸５５には、籾供給調節弁開度バ−７４，弁籾供給調節弁作動体３６及びギヤ５６を固着し、籾供給調節弁作動用のモ−タ５７が正転あるいは逆転すると、ギヤ５８，ギヤ５６，軸５５を介して籾供給調節弁作動体３６が駆動され、籾供給調節弁３８が開閉調節される構成である。また、操作レバ−３１の握り部３１ａの横側部には、モ−タ５７を正転あるいは逆転操作するトグル式のスイッチ５９を設けている。また、籾供給調節弁開度バ−７４の回動部近傍には、籾供給調節弁３８の開閉状態を表示する籾供給調節弁表示装置６０が設けられて、籾供給調節弁３８が開閉調節されると、その開閉度が表示される構成である。
【００３５】
前記の構成であるので、操作レバ−３１を回動操作して揺動選別装置の切り替え作動をしながら、指一本でスイッチ５９を操作することにより、籾供給調節弁３８の開閉をすることができ、また、籾供給調節弁３８の開閉度を自由に選択できて操作性を向上させることができる。
次に、図８に基づき、籾ホッパ６の他の実施例について説明する。
【００３６】
籾摺選別機の籾ホッパ６の上部には、補助ホッパ６１を内側に嵌合して装着できる構成とし、この補助ホッパ６１の上部全周にわたり所定間隔毎に凹部６１ａ，６１ａ，…を多数形成している。そして、納屋の天井部に設けている穀粒タンク６２、あるいは、穀粒乾燥機（図示省略）から流下パイプ６３を介して籾を供給する際に、傾斜状態の流下パイプ６３の下端部を補助ホッパ６１の凹部６１ａに嵌合支持し、流下パイプ６３の
振動による移動を確実に防止しながら支持し、籾こぼれを防止できる。
【００３７】
また、図９−（１）に示すように、発砲スチロール等の弾性材で補助ホッパ６１を構成してもよい。また、図９−（２）に示すように、籾ホッパ６の上部外周部の支持穴に、逆Ｕ字型の位置決めパイプ６４，６４を挿入支持して、位置決めパイプ６４，６４の間に前記流下パイプ６３を挟んで支持し、籾こぼれを防止しながら籾供給をするものである。また、図９−（３）に示すように、補助ホッパ６１をゴム等の弾性材で、上下に伸縮する構成とし、流下パイプ６３の接触支持する部分を凹ませて移動を防止する構成としてもよい。
【図面の簡単な説明】
【図１】全体の切断側面図
【図２】一部切断した背面図
【図３】側面図
【図４】平面図
【図５】斜視図、平面図
【図６】要部の斜視図
【図７】平面図、側面図
【図８】斜視図、切断側面図
【図９】斜視図、側面図
【符号の説明】
１…籾摺部，２…摺落米風選部，３…揺動選別装置，４…混合米揚穀機，５…玄米揚穀機，６…籾ホッパ，７…籾摺ロール，８…籾摺室，９…摺落米風選箱，１０…摺落米風選路，１１…粃受樋，１２…摺落米受樋，１３…吸引フアン，１４…排塵筒，１５…揺動選別板，１６…分配供給樋，１７…分配ケース，１８…玄米仕切板，１９…籾仕切板，２０…玄米取出樋，２１…玄米流路，２２…混合米取出樋，２３…混合米流路，２４…混合米ホッパ，２５…籾取出樋，２６…籾流路，２７…籾揚穀機，２８…平面部，２９…排塵カバ−，３０…揺動カバ−，３１…操作レバ−，３２…操作溝，３３…ブラケット，３４…支持軸，３５…筒体，３６…籾供給調節弁作動体，３７…揺動作動体，３８…籾供給調節弁，３９…クラッチ連係溝，４０…揺動クラッチワイヤ，４１…切替連係溝，４２…切替ワイヤ，４３…連動ロッド，４４…機枠，４５…回動体，４６…中間回動体，４７…弁連動ロッド，４８…ホッパ連動ロッド，４９…ホッパ回動体，５０…中間連動ロッド，５１…ばね，５２…供給量調節ア−ム，５３…調節体，５４…長穴，５５…軸，５６…ギヤ，５７…モ−タ，５８…ギヤ，５９…スイッチ，６０…籾供給調節弁表示装置，６１…補助ホッパ，６２…穀粒タンク，６３…流下パイプ，６４…位置決めパイプ
【図１】
0003707174.tif 000002
【図２】
0003707174.tif 000003
【図３】
0003707174.tif 000004
【図４】
0003707174.tif 000005
【図５】
0003707174.tif 000006
【図６】
0003707174.tif 000007
【図７】
0003707174.tif 000008
【図８】
0003707174.tif 000009
【図９】
0003707174.tif 000010